(57)【要約】      （修正有）【課題】携帯通信端末における格納領域の容量を増やさなくても、各アプリケーションソフトを実行可能な通信システムを提供する。【解決手段】携帯通信端末は、元状況に対応するアプリケーションソフトを格納する端末格納部と、携帯通信端末および周囲の状況を検出する状況検出部と、現在状況が端末格納部に格納されている元状況と異なるか否かを判断するための端末判断部と、異なる場合、状況データと携帯通信端末の識別子とをサーバに送信する端末通信部とを備え、サーバは、携帯通信端末から受信した状況データに基づいて、対応のアプリケーションソフトを取り出す取出部と、携帯通信端末からの識別子に基づいて、取り出したアプリケーションソフトを携帯通信端末に送信するサーバ通信部とを備え、そして、携帯通信端末は、格納されているアプリケーションソフトをサーバから受信したアプリケーションソフトに取り替える端末取替部を更に備えている。【選択図】図１
2008228068.tif 000002
【特許請求の範囲】
【請求項１】
携帯通信端末および周囲の状況に対応してそれぞれのアプリケーションソフトを格納しているサーバに、通信線を介して接続し且つ識別子を有する携帯通信端末であって、
一つの前記状況に対応して前記アプリケーションソフトを格納する端末格納部と、
前記状況を検出するための状況検出部と、
検出された前記状況が現在状況として前記端末格納部に格納されている前記アプリケーションソフトに対応しているか否かを判断するための端末判断部と、
対応していない場合、前記現在状況と前記識別子とを前記サーバに送信し、且つ、前記サーバから前記現在状況に対応する前記アプリケーションソフトを受信する端末通信部と、
前記端末格納部に格納されている前記アプリケーションソフトを前記サーバから受信した前記アプリケーションソフトに取り替えるための端末取替部と
を備えることを特徴とする携帯通信端末。
【請求項２】
前記状況は前記携帯通信端末の所在位置を示し、
前記状況検出部は、複数のＧＰＳ（Ｇｌｏｂａｌ  Ｐｏｓｉｔｉｏｎｉｎｇ  Ｓｙｓｔｅｍ）衛星からＧＰＳ電波を定期的に受信し、受信した電波を利用して緯度及び経度を割り出すＧＰＳ受信機と、各所在位置に対応して所定緯度及び所定経度を予め記憶する所在位置記憶部と有することを特徴とする請求項１記載の携帯通信端末。
【請求項３】
前記所在位置が前記ユーザの会社にあることを示す場合、前記端末格納部は、業務用アプリケーションソフトからなる前記アプリケーションソフトを格納し、前記所在位置が前記ユーザの自宅にあることを示す場合、前記端末格納部は、プライベート用アプリケーションソフトからなる前記アプリケーションソフトを格納することを特徴とする請求項２記載の携帯通信端末。
【請求項４】
前記状況は一日中の時間帯を示し、前記状況検出部は時刻を計るためのタイマーを有することを特徴とする請求項１記載の携帯通信端末。
【請求項５】
前記時間帯が前記ユーザの勤務時間帯である場合、前記端末格納部は、業務用アプリケーションソフトからなる前記アプリケーションソフトを格納し、前記時間帯が前記ユーザの通勤時間帯である場合、前記端末格納部は、通勤用アプリケーションソフトからなる前記アプリケーションソフトを格納することを特徴とする請求項４記載の携帯通信端末。
【請求項６】
前記状況は、前記携帯通信端末と、前記ユーザのウェアラブルデバイス（Ｗｅａｒａｂｌｅ  Ｄｅｖｉｃｅ）との距離を示し、前記状況検出部は前記ウェアラブルデバイスからの信号を受信する受信部分を有することを特徴とする請求項１記載の携帯通信端末。
【請求項７】
前記距離は、前記携帯通信端末が安全の状態にあることを示す場合、前記端末格納部は、前記ユーザを認証するための簡単認証用アプリケーションソフトからなる前記アプリケーションソフトを格納し、前記距離は、前記携帯通信端末が危険の状態にあることを示す場合、前記端末格納部は、前記ユーザを認証するための厳密認証用アプリケーションソフトからなる前記アプリケーションソフトと、前記携帯通信端末におけるデータを退避するためのデータ退避アプリケーションソフトとを格納することを特徴とする請求項６記載の携帯通信端末。
【請求項８】
前記簡単認証用アプリケーションソフトは、パスワード認証用アプリケーションソフトであり、厳密認証用アプリケーションソフトは、生体認証用アプリケーションソフトであることを特徴とする請求項７記載の携帯通信端末。
【請求項９】
前記生体認証用アプリケーションソフトは、虹彩、指紋、静脈及び顔のいずれかからなる生体情報に基づいて認証を行うアプリケーションソフトであることを特徴とする請求項８記載の携帯通信端末。
【請求項１０】
前記携帯通信端末は、携帯電話、ＰＤＡ（Ｐｅｒｓｏｎａｌ  Ｄｉｇｉｔａｌ  Ａｓｓｉｓｔａｎｔ）及びモバイルＰＣ（Ｐｅｒｓｏｎａｌ  Ｃｏｍｐｕｔｅｒ）のいずれかからなることを特徴とする請求項１記載の携帯通信端末。
【請求項１１】
前記識別子は、電話番号ＩＰアドレス、または、ＳＩＰアドレスのいずれかからなることを特徴とする請求項１記載の携帯通信端末。
【請求項１２】
前記端末格納部は、前記アプリケーションソフトを格納するアプリケーションソフト格納部分と、格納されている前記アプリケーションソフトの実行に対応するアプリケーション利用データを格納するアプリケーション利用データ格納部分とを有し、
前記端末格納部に格納されている前記アプリケーションソフトが前記端末取替部によって取り替えられると、前記端末通信部は、該取り替えられたアプリケーションソフトに対応する前記状況を元状況として、対応の前記アプリケーション利用データと共に、前記サーバへ送信することを特徴とする請求項１記載の携帯通信端末。
【請求項１３】
ユーザが利用し且つ識別子を有する少なくとも一つの携帯通信端末と、通信線を介して前記携帯通信端末に接続しているサーバとを含む通信システムであって、
前記携帯通信端末は、
通信を行うためのアプリケーションソフトを格納する端末格納部と、
通信に関する状況を検出するための状況検出部と、
検出された前記状況が前記端末格納部に格納されている前記アプリケーションソフトに対応しているか否かを判断するための端末判断部と、
対応していない場合、前記状況を示す状況データと前記識別子とを前記サーバに送信する端末通信部とを備え、
前記サーバは、
各前記状況に対応してそれぞれの前記アプリケーションソフトを格納するためのサーバ格納部と、
前記携帯通信端末から受信した前記状況データに基づいて、対応の前記アプリケーションソフトを取り出す取出部と、
前記携帯通信端末から受信した前記識別子に基づいて、取り出した前記アプリケーションソフトを前記携帯通信端末に送信するサーバ通信部とを備え、
前記携帯通信端末は、前記端末格納部に格納されている前記アプリケーションソフトを前記サーバから受信した前記アプリケーションソフトに取り替えるための端末取替部を更に備える
ことを特徴とする通信システム。
【請求項１４】
前記状況は前記携帯通信端末の所在位置を示し、
前記状況検出部は、複数のＧＰＳ（Ｇｌｏｂａｌ  Ｐｏｓｉｔｉｏｎｉｎｇ  Ｓｙｓｔｅｍ）衛星からＧＰＳ電波を定期的に受信し、受信した電波を利用して緯度及び経度を割り出すＧＰＳ受信機と、各所在位置に対応して所定緯度及び所定経度を予め記憶する所在位置記憶部とを有することを特徴とする請求項１３記載の通信システム。
【請求項１５】
前記所在位置が前記ユーザの会社にあることを示す場合、前記端末格納部は、業務用アプリケーションソフトからなる前記アプリケーションソフトを格納し、前記所在位置が前記ユーザの自宅にあることを示す場合、前記端末格納部は、プライベート用アプリケーションソフトからなる前記アプリケーションソフトを格納することを特徴とする請求項１４記載の通信システム。
【請求項１６】
前記プライベート用アプリケーションソフトは、映画アプリケーションソフト、音楽アプリケーションソフト及びゲームアプリケーションソフトのいずれかからなることを特徴とする請求項１５記載の通信システム。
【請求項１７】
前記端末格納部は、前記アプリケーションソフトを予め前記所在位置に対応させて格納し、前記判断部は、検出された前記所在位置と予め格納されている前記所在位置とを比較して、異なる場合、検出された前記所在位置が格納されている前記アプリケーションソフトと対応していないと判断することを特徴とする請求項１４記載の通信システム。
【請求項１８】
前記状況は一日中の時間帯を示し、前記状況検出部は時刻を計るためのタイマーを有することを特徴とする請求項１３記載の通信システム。
【請求項１９】
前記時間帯が前記ユーザの勤務時間帯である場合、前記端末格納部は、業務用アプリケーションソフトからなる前記アプリケーションソフトを格納し、前記時間帯が前記ユーザの通勤時間帯である場合、前記端末格納部は、通勤用アプリケーションソフトからなる前記アプリケーションソフトを格納することを特徴とする請求項１８記載の通信システム。
【請求項２０】
前記通勤用アプリケーションソフトは、映画アプリケーションソフト、音楽アプリケーションソフト及びゲームアプリケーションソフトのいずれかからなることを特徴とする請求項１９記載の通信システム。
【請求項２１】
前記状況は、前記携帯通信端末と、前記ユーザのウェアラブルデバイス（Ｗｅａｒａｂｌｅ  Ｄｅｖｉｃｅ）との距離を示し、前記状況検出部は前記ウェアラブルデバイスからの信号を受信する受信部分を有することを特徴とする請求項１３記載の通信システム。
【請求項２２】
前記距離は、前記携帯通信端末が安全の状態にあることを示す場合、前記端末格納部は、前記ユーザを認証するための簡単認証用アプリケーションソフトからなる前記アプリケーションソフトを格納し、前記距離は、前記携帯通信端末が危険の状態にあることを示す場合、前記端末格納部は、前記ユーザを認証するための厳密認証用アプリケーションソフトからなる前記アプリケーションソフトと、前記携帯通信端末におけるデータを退避するためのデータ退避アプリケーションソフトとを格納することを特徴とする請求項２１記載の通信システム。
【請求項２３】
前記簡単認証用アプリケーションソフトは、パスワード認証用アプリケーションソフトであり、厳密認証用アプリケーションソフトは、生体認証用アプリケーションソフトであることを特徴とする請求項２２記載の通信システム。
【請求項２４】
前記生体認証用アプリケーションソフトは、虹彩、指紋、静脈及び顔のいずれかからなる生体情報に基づいて認証を行うアプリケーションソフトであることを特徴とする請求項２３記載の通信システム。
【請求項２５】
前記通信回線は、無線ＬＡＮ及びＩＰ（Ｉｎｔｅｒｎｅｔ  Ｐｒｏｔｏｃｏｌ）網のいずれかの携帯電話網からなることを特徴とする請求項１３記載の通信システム。
【請求項２６】
前記携帯通信端末は、携帯電話、ＰＤＡ（Ｐｅｒｓｏｎａｌ  Ｄｉｇｉｔａｌ  Ａｓｓｉｓｔａｎｔ）及びモバイルＰＣ（Ｐｅｒｓｏｎａｌ  Ｃｏｍｐｕｔｅｒ）のいずれかからなることを特徴とする請求項１３記載の通信システム。
【請求項２７】
前記端末格納部は、前記状況データに対応させて前記アプリケーションソフトを格納することを特徴とする請求項１３記載の通信システム。
【請求項２８】
前記携帯通信端末は複数個であり、前記サーバ格納部は、各前記識別子に対応して、異なる各前記状況データ及び対応の各アプリケーションソフトを格納する複数の格納部分を有することを特徴とする請求項１３記載の通信システム。
【請求項２９】
前記識別子は、電話番号及びＩＰアドレスのいずれかからなることを特徴とする請求項１３記載の通信システム。
【請求項３０】
前記端末格納部は、前記アプリケーションソフトを格納するアプリケーションソフト格納部分と、格納されている前記アプリケーションソフトの実行に対応するアプリケーション利用データを格納するアプリケーション利用データ格納部分とを有し、
前記端末格納部に格納されている前記アプリケーションソフトが前記端末取替部によって取り替えられると、前記端末通信部は、該取り替えられたアプリケーションソフトに対応する前記状況データを、前記アプリケーション利用データと共に、前記サーバへ送信し、
前記サーバは、受信した前記状況データに基づいて、受信した前記アプリケーション利用データ及び前記受信した識別子を前記サーバ格納部に、格納されている前記アプリケーションソフトに対応して格納することを特徴とする請求項１３記載の通信システム。
【請求項３１】
前記サーバ格納部は、前記アプリケーション利用データを記憶するための情報格納領域を含み、
前記サーバは、受信したアプリケーション利用データを用いて、前記情報格納領域に対して上書きしてアプリケーション利用データの取替動作を行うサーバ取替部を更に備えることを特徴とする請求項３０記載の通信システム。
【請求項３２】
前記サーバは、サーバ格納部に格納されているアプリケーションソフトに対応する前記アプリケーション利用データの有無を判断するためのサーバ判断部を更に備え、
前記取出部が前記携帯通信端末からの前記状況データに基づいて前記アプリケーションソフトを取り出すと、前記サーバ判断部が前記受信した識別子に基づいて判断動作を行い、
前記アプリケーション利用データがあると判断されると、前記取出部は、更に前記サーバ格納部から前記アプリケーション利用データを取り出し、
前記サーバ通信部は、取り出された前記アプリケーション利用データを対応の取り出されたアプリケーションソフトと共に前記携帯通信端末へ送信することを特徴とする請求項３０記載の通信システム。
【請求項３３】
前記端末通信部が前記サーバから前記アプリケーションソフトと前記アプリケーション利用データとを受信すると、前記端末取替部は、前記アプリケーションソフト格納部分に対して、受信した前記アプリケーションソフトを上書きすると共に、前記アプリケーション利用データ格納部分に対して、受信した前記アプリケーション利用データを上書きすることを特徴とする請求項３２記載の通信システム。
【発明の詳細な説明】
【技術分野】
【０００１】
本発明は、アプリケーションソフトを実行して通信を行う携帯通信端末及び該携帯通信端末を有するシステムに関し、特に、各種のアプリケーションソフトを実行するのに格納領域を有効に利用可能な携帯通信端末及び通信システムに関するものである。
【背景技術】
【０００２】
通信システムとして、携帯通信端末と、通信線を介して該携帯通信端末に接続しているサーバとを含むシステムがある。また、携帯通信端末の一種として、携帯電話が広く多くの人々に利用されている。該携帯電話にアプリケーションソフトを予め記憶した後、ユーザの操作により該アプリケーションソフトを実行させることによって、携帯電話は、サーバとの通信や、サーバを介する他の携帯電話との通信、サーバを介する他の通信システムとの通信などを行うことができる。
【０００３】
このアプリケーションソフトの一つとして、例えば、電子メールを行うためのメール用アプリケーションソフトがある。このメール用アプリケーションソフトを実行することによって、他の携帯電話との電子メールの遣り取りを行うことができる。
【０００４】
また、アプリケーションソフトの他の例として、例えば、下記特許文献１に記載されているように、携帯電話が盗難或いは紛失された時に重要データを退避させるためのデータ退避アプリケーションソフトがある。このデータ退避アプリケーションソフトを実行することによって、データ保護や機密保持などが可能となる
【０００５】
更に、近年の携帯電話の性能が向上されることに伴って、他の様々なアプリケーションソフトの実行、例えば、プライベート時間帯において、映画、音楽や、銀行の取引処理などに関する通信、また、例えば、勤務時間帯において、業務資料の参考や、業務データの遣り取りに関する通信も可能となっている。
これら各種アプリケーションソフト、且つ対応の実行によって得た関連データ、例えば、電子メール受信データ、画像データ、音楽データ或いは業務データなどを格納する必要があるため、格納領域の高容量化が要求されている。
【０００６】
格納領域の容量を増やすための一つの方法は、下記特許文献２に記載されている。この方法は、携帯型データ管理装置を設け、携帯電話がデータ転送アクセスを検出すると、該携帯電話と携帯型データ管理装置との間でデータ転送を行う。これによって、データ格納領域を増やすことができる。
【特許文献１】特開２００２−３２５２８０号公報
【特許文献２】特開２００３−８７１７８号公報
【発明の開示】
【発明が解決しようとする課題】
【０００７】
しかしながら、このような方法では、携帯型データ管理装置を設けることを前提とし、また、携帯電話と携帯型データ管理装置との間に常にデータ転送を行わなければいけないので、ユーザにとって携帯型データ管理装置を常に持ち歩く必要があり、また通信時に転送する時間が増加してしまう。
従って、携帯電話の格納領域を増やさなくても、各種のアプリケーションソフトを利用可能で、且つ利便性が高く、稼働率の高い携帯通信端末及び通信システムが望まれている。
【課題を解決するための手段】
【０００８】
本発明は、以上の点を解決するために、次の構成を採用する。
〈構成１〉
本発明は、一つの携帯通信端末を提供する。
本発明に係る携帯通信端末は、携帯通信端末および周囲の状況に対応してそれぞれのアプリケーションソフトを格納しているサーバに、通信線を介して接続し且つ識別子を有する携帯通信端末であって、一つの状況に対応してアプリケーションソフトを格納する端末格納部と、
状況を検出するための状況検出部と、検出された状況が現在状況として端末格納部に格納されているアプリケーションソフトに対応しているか否かを判断するための端末判断部と、対応していない場合、現在状況と識別子とをサーバに送信し、且つ、サーバから現在状況に対応するアプリケーションソフトを受信する端末通信部と、端末格納部に格納されているアプリケーションソフトをサーバから受信したアプリケーションソフトに取り替えるための端末取替部とを備えることを特徴とする。
【０００９】
また、本発明に係る携帯通信端末では、状況は携帯通信端末の所在位置を示し、状況検出部は、複数のＧＰＳ（Ｇｌｏｂａｌ  Ｐｏｓｉｔｉｏｎｉｎｇ  Ｓｙｓｔｅｍ）衛星からＧＰＳ電波を定期的に受信し、受信した電波を利用して緯度及び経度を割り出すＧＰＳ受信機と、各所在位置に対応して所定緯度及び所定経度を予め記憶する所在位置記憶部と有することができる。
【００１０】
また、本発明に係る携帯通信端末では、所在位置がユーザの会社にあることを示す場合、端末格納部は、業務用アプリケーションソフトからなるアプリケーションソフトを格納し、所在位置がユーザの自宅にあることを示す場合、端末格納部は、プライベート用アプリケーションソフトからなるアプリケーションソフトを格納することができる。
【００１１】
また、本発明に係る携帯通信端末では、状況は一日中の時間帯を示し、状況検出部は時刻を計るためのタイマーを有することができる。
そして、時間帯がユーザの勤務時間帯である場合、端末格納部は、業務用アプリケーションソフトからなるアプリケーションソフトを格納し、時間帯がユーザの通勤時間帯である場合、端末格納部は、通勤用アプリケーションソフトからなるアプリケーションソフトを格納することができる。
【００１２】
また、本発明に係る携帯通信端末では、状況は、携帯通信端末と、ユーザのウェアラブルデバイス（Ｗｅａｒａｂｌｅ  Ｄｅｖｉｃｅ）との距離を示し、状況検出部はウェアラブルデバイスからの信号を受信する受信部分を有することができる。
そして、距離は、携帯通信端末が安全の状態にあることを示す場合、端末格納部は、ユーザを認証するための簡単認証用アプリケーションソフトからなるアプリケーションソフトを格納し、距離は、携帯通信端末が危険の状態にあることを示す場合、端末格納部は、ユーザを認証するための厳密認証用アプリケーションソフトからなるアプリケーションソフトと、携帯通信端末におけるデータを退避するためのデータ退避アプリケーションソフトとを格納することができる。
【００１３】
簡単認証用アプリケーションソフトとして、パスワード認証用アプリケーションソフトを採用し、厳密認証用アプリケーションソフトとして、生体認証用アプリケーションソフトを採用することができる。
また、生体認証用アプリケーションソフトとして、虹彩、指紋、静脈及び顔のいずれかからなる生体情報に基づいて認証を行うアプリケーションソフトを採用する。
【００１４】
また、本発明に係る携帯通信端末では、携帯通信端末として、携帯電話、ＰＤＡ（Ｐｅｒｓｏｎａｌ  Ｄｉｇｉｔａｌ  Ａｓｓｉｓｔａｎｔ）及びモバイルＰＣ（Ｐｅｒｓｏｎａｌ  Ｃｏｍｐｕｔｅｒ）のいずれかを採用することができる。
【００１５】
また、本発明に係る携帯通信端末では、識別子として、電話番号及びＩＰアドレスのいずれかを採用することができる。
【００１６】
また、本発明に係る携帯通信端末では、端末格納部は、アプリケーションソフトを格納するアプリケーションソフト格納部分と、格納されているアプリケーションソフトの実行に対応するアプリケーション利用データを格納するアプリケーション利用データ格納部分とを有し、端末格納部に格納されているアプリケーションソフトが端末取替部によって取り替えられると、端末通信部は、該取り替えられたアプリケーションソフトに対応する状況を元状況として、対応のアプリケーション利用データと共に、サーバへ送信することができる。
【００１７】
〈構成２〉
本発明は、一つの通信システムを提供する。
本発明に係る通信システムは、ユーザが利用し且つ識別子を有する少なくとも一つの携帯通信端末と、通信線を介して携帯通信端末に接続しているサーバとを含み、携帯通信端末は、通信を行うためのアプリケーションソフトを格納する端末格納部と、通信に関する状況を検出するための状況検出部と、検出された状況が端末格納部に格納されているアプリケーションソフトに対応しているか否かを判断するための端末判断部と、対応していない場合、状況を示す状況データと識別子とをサーバに送信する端末通信部とを備え、サーバは、各状況に対応してそれぞれのアプリケーションソフトを格納するためのサーバ格納部と、携帯通信端末から受信した状況データに基づいて、対応のアプリケーションソフトを取り出す取出部と、携帯通信端末から受信した識別子に基づいて、取り出したアプリケーションソフトを携帯通信端末に送信するサーバ通信部とを備え、また、携帯通信端末は、端末格納部に格納されているアプリケーションソフトをサーバから受信したアプリケーションソフトに取り替えるための端末取替部を更に備えることを特徴とする。
【００１８】
また、本発明に係る通信システムでは、状況は携帯通信端末の所在位置を示し、状況検出部は、複数のＧＰＳ（Ｇｌｏｂａｌ  Ｐｏｓｉｔｉｏｎｉｎｇ  Ｓｙｓｔｅｍ）衛星からＧＰＳ電波を定期的に受信し且つ受信した電波を利用して緯度及び経度を割り出すＧＰＳ受信機と、各所在位置に対応して所定緯度及び所定経度を予め記憶する所在位置記憶部とを有することができる。
【００１９】
また、本発明に係る通信システムでは、所在位置がユーザの会社にあることを示す場合、端末格納部は、業務用アプリケーションソフトからなるアプリケーションソフトを格納し、所在位置がユーザの自宅にあることを示す場合、端末格納部は、プライベート用アプリケーションソフトからなるアプリケーションソフトを格納することができる。
このプライベート用アプリケーションソフトとして、映画アプリケーションソフト、音楽アプリケーションソフト及びゲームアプリケーションソフトのいずれかを採用することができる。
【００２０】
また、本発明に係る通信システムでは、端末格納部は、アプリケーションソフトを所在位置に対応させて予め格納し、判断部は、検出された所在位置と予め格納されている所在位置とを比較して、異なる場合、検出された所在位置が格納されているアプリケーションソフトと対応していないと判断することができる。
【００２１】
また、本発明に係る通信システムでは、状況は一日中の時間帯を示し、状況検出部は時刻を計るためのタイマーを有することができる。
そして、時間帯がユーザの勤務時間帯である場合、端末格納部は、業務用アプリケーションソフトからなるアプリケーションソフトを格納し、時間帯がユーザの通勤時間帯である場合、端末格納部は、通勤用アプリケーションソフトからなるアプリケーションソフトを格納することができる。
通勤用アプリケーションソフトとして、映画アプリケーションソフト、音楽アプリケーションソフト及びゲームアプリケーションソフトのいずれかを採用することができる。
【００２２】
また、本発明に係る通信システムでは、状況は携帯通信端末と、ユーザのウェアラブルデバイス（Ｗｅａｒａｂｌｅ  Ｄｅｖｉｃｅ）との距離を示し、状況検出部はウェアラブルデバイスからの信号を受信する受信部分を有することができる。
【００２３】
そして、距離は携帯通信端末が安全の状態にあることを示す場合、端末格納部は、ユーザを認証するための簡単認証用アプリケーションソフトからなるアプリケーションソフトを格納し、距離は携帯通信端末が危険の状態にあることを示す場合、端末格納部は、ユーザを認証するための厳密認証用アプリケーションソフトからなるアプリケーションソフトを格納することができる。
【００２４】
簡単認証用アプリケーションソフトとして、パスワード認証用アプリケーションソフトを採用することができ、また、厳密認証用アプリケーションソフトとして、生体認証用アプリケーションソフトを採用することができる。
そして、生体認証用アプリケーションソフトとして、虹彩、指紋、静脈及び顔のいずれかからなる生体情報に基づいて認証を行うアプリケーションソフトを採用しても良い。
【００２５】
また、本発明に係る通信システムでは、通信回線として、携帯電話網、無線ＬＡＮ及びＩＰ（Ｉｎｔｅｒｎｅｔ  Ｐｒｏｔｏｃｏｌ）網のいずれかを採用することができる。
【００２６】
また、本発明に係る通信システムでは、携帯通信端末は、携帯電話、ＰＤＡ（Ｐｅｒｓｏｎａｌ  Ｄｉｇｉｔａｌ  Ａｓｓｉｓｔａｎｔ）及びモバイルＰＣ（Ｐｅｒｓｏｎａｌ  Ｃｏｍｐｕｔｅｒ）のいずれかを採用することができる。
【００２７】
また、本発明に係る通信システムでは、端末格納部は、状況データに対応させてアプリケーションソフトを格納することができる。
【００２８】
また、本発明に係る通信システムでは、携帯通信端末を複数個に設定し、サーバ格納部は、各識別子に対応して、異なる各状況データ及び対応の各アプリケーションソフトを格納する複数の格納部分を備えることができる。
【００２９】
また、本発明に係る通信システムでは、識別子として、電話番号、ＩＰアドレス、または、SIPアドレスのいずれかを採用することができる。
【００３０】
また、本発明に係る通信システムでは、端末格納部はアプリケーションソフトを格納するアプリケーションソフト格納部分と、格納されているアプリケーションソフトの実行に対応するアプリケーション利用データを格納するアプリケーション利用データ格納部分とを有し、端末格納部に格納されているアプリケーションソフトが端末取替部によって取り替えられると、端末通信部は該取り替えられたアプリケーションソフトに対応する状況データをアプリケーション利用データと共にサーバへ送信し、サーバは受信した状況データに基づいて受信したアプリケーション利用データ及び受信した識別子をサーバ格納部に、対応の格納されているアプリケーションソフトと共に格納することができる。
【００３１】
また、本発明に係る通信システムでは、サーバ格納部は、アプリケーション利用データを記憶するための情報格納領域を含み、サーバは、受信したアプリケーション利用データを用いて、情報格納領域に対して上書きしてアプリケーション利用データの取替動作を行うサーバ取替部を更に備えることができる。
【００３２】
また、本発明に係る通信システムでは、サーバは、サーバ格納部に格納されているアプリケーションソフトに対応するアプリケーション利用データの有無を判断するためのサーバ判断部を更に備え、取出部が携帯通信端末からの状況データに基づいてアプリケーションソフトを取り出すと、サーバ判断部が識別子に基づいて判断動作を行い、アプリケーション利用データがあると判断されると、取出部は更にサーバ格納部からアプリケーション利用データを取り出し、サーバ通信部は、取り出されたアプリケーション利用データを対応の取り出されたアプリケーションソフトと共に携帯通信端末へ送信することができる。
【００３３】
また、本発明に係る通信システムでは、端末通信部がサーバからアプリケーションソフトとアプリケーション利用データとを受信すると、端末取替部はアプリケーションソフト格納部分に対して、受信したアプリケーションソフトを上書きすると共に、アプリケーション利用データ格納部分に対して受信したアプリケーション利用データを上書きすることができる。
【発明の効果】
【００３４】
本発明に係る携帯通信端末及び通信システムによれば、端末格納部に格納されているアプリケーションソフトを通信に関する状況に応じて取り替えるので、携帯通信端末に対して、格納領域の容量を増やさなくても、それぞれのアプリケーションソフトを実行して通信を行うことができ、携帯通信端末の格納領域を有効に利用することができる。
これによって、従来のような管理装置等を追加する必要がないので、利便性を高めることができる。また、常に現在の状況に応じて必要な通信に対応するアプリケーションソフトのみを端末に格納するので、通信処理の稼働率を高めることもできる。
【発明を実施するための最良の形態】
【００３５】
以下、図を用いる実施形態で、本発明に係る通信システムを、携帯通信端末と共に詳細に説明する。
【実施例１】
【００３６】
〈実施例１の構成〉
図１は、本発明に係る通信システムの実施例１における構成を示すブロック図である。
本発明に係る通信システム１０は、図１に示されているように、ユーザが利用する携帯通信端末１１と、通信回線１２を介して該携帯通信端末１１と通信可能に接続しているサーバ１３とを含む。
該通信システム１０は、例えば携帯電話システムとして利用されている。即ち、携帯通信端末１１は、携帯電話からなり、通信回線１２は、携帯電話網としての無線ＬＡＮ及びＩＰ網のいずれかからなる。
【００３７】
携帯通信端末１１は、図１に示されているように、入力表示部１４、識別子記憶部１５、端末通信部１６、状況検出部１７、端末格納部１８、一時記憶部１９、端末判断部２０、端末取替部２１、ソフト実行部３６及びこれらを制御する端末制御部２２を備えている。
【００３８】
入力表示部１４は、ユーザを操作させたり、通信に関する画面などを表示したりする機能を有している。
識別子記憶部１５は、携帯通信端末１１の識別子を記憶する機能を有している。本実施例では、識別子は、「ＩＰ１１１１」とする。
【００３９】
状況検出部１７は、通信に関する状況を検出する機能を有している。本実施例では、状況として、携帯通信端末１１の所在位置を示す。
この状況検出部１７は、ＧＰＳ受信機２３及び所在位置記憶部２４を有している。
ＧＰＳ受信機２３は、複数のＧＰＳ（Ｇｌｏｂａｌ  Ｐｏｓｉｔｉｏｎｉｎｇ  Ｓｙｓｔｅｍ）衛星からＧＰＳ電波を定期的に受信し、受信した電波を利用して緯度及び経度を割り出す機能を有している。
所在位置記憶部２４は、各所在位置に対応して所定緯度及び所定経度を予め記憶する機能を有している。
【００４０】
図２は、本発明に係る実施例１の所在位置記憶部の構成を示す説明図である。
所在位置記憶部２４には、図２に示されているように、所定経度「Ｋ１」、所定緯度「Ｙ１」に対応して、所定位置が「会社」となっており、所定経度「Ｋ２」、所定緯度「Ｙ２」に対応して、所定位置が「自宅」となっている。
尚、この所定経度及び所定緯度は、一定の範囲を示すことができる。
【００４１】
また、携帯通信端末１１において、端末格納部１８は、アプリケーションソフト格納部分２５及びアプリケーション利用データ格納部分２６を有している。
図３は、本発明に係る実施例１のアプリケーションソフト格納部分の構成を示す説明図である。
【００４２】
図３（ａ）は、所在位置が「会社」となる場合のアプリケーションソフト格納部分の構成を示す。
アプリケーションソフト格納部分２５には、図３（ａ）に示されているように、所在位置「会社」に対応して、業務用アプリケーションソフトが格納されている。
この業務用アプリケーションソフトは、ユーザに業務資料の参考や、業務データの遣り取りを行わせるための業務通信を可能に実行するアプリケーションソフトである。
【００４３】
図３（ｂ）は、所在位置が「自宅」となる場合のアプリケーションソフト格納部分の構成を示す。
アプリケーションソフト格納部分２５には、図３（ｂ）に示されているように、所在位置「自宅」に対応して、映画アプリケーションソフト及びゲーム用アプリケーションソフトが、プライベート用アプリケーションソフトとして、共に格納されている。
この映画アプリケーションソフトは、ユーザに映画を看させるための画像通信を可能に実行するアプリケーションソフトであり、ゲーム用アプリケーションソフトは、ユーザにゲームを遊ばせるためのゲーム通信を実行するアプリケーションソフトである。
【００４４】
図４は、本発明に係る実施例１のアプリケーション利用データ格納部分の構成を示す説明図である。
図４（ａ）は、所在位置が「会社」となる場合のアプリケーション利用データ格納部分の構成を示す。
アプリケーション利用データ格納部分２６には、図４（ａ）に示されているように、所在位置「会社」に対応して、端末側業務アプリケーション利用データが格納されている。
この端末側業務アプリケーション利用データは、上記の業務用アプリケーションソフトに対応しており、業務通信中生成した業務情報などであり、ユーザに対して必要で格納すべき業務情報データである。
【００４５】
図４（ｂ）は、所在位置が「自宅」となる場合のアプリケーション利用データ格納部分の構成を示す。
アプリケーション利用データ格納部分２６には、図４（ｂ）に示されているように、所在位置「自宅」に対応して、端末側映画アプリケーション利用データ及び端末側ゲームアプリケーション利用データがそれぞれ格納されている。
これら端末側アプリケーション利用データは、それぞれ、映画アプリケーションソフト及びゲーム用アプリケーションソフトに対応しており、ユーザに対して必要で格納すべき映画情報データ、例えば、ユーザが要求したそれぞれの映画ネーム情報データや、ゲームの実行中生成した点数情報データなどである。
【００４６】
本実施例において、所在位置データ「会社」或いは「自宅」は、端末格納部１８に格納されている場合、元状況データ、即ち、元位置データとする。
【００４７】
また、携帯通信端末１１において、一時記憶部１９は、例えば、サーバから受信したデータや、携帯通信端末１１側において処理中生成したデータなどを一時的に記憶する機能を有している。
端末判断部２０は、状況検出部１７が検出した現在の状況、即ち、現在の所在位置が、端末格納部１８に記憶されている状況に一致するか否か、即ち、現在の状況が端末格納部１８に記憶されているアプリケーションソフトに一致するか否かを判断する機能を有している。
【００４８】
端末通信部１６は、サーバ１３との送受信を行う機能を有しており、サーバ１３に接続するためのサーバアドレスを持っている。
前記端末判断部２０によって現在の状況が端末格納部１８に記憶されている状況に一致していない場合、端末通信部１６は、識別子記憶部１５に記憶されている携帯通信端末１１の識別子と、状況検出部１７によって検出された現在の状況を示す現在状況データとをサーバ１３に送信し、また、サーバ１３からこの現在状況データに対応するアプリケーションソフトを受信する機能を有している。
【００４９】
本実施例では、アプリケーション利用データ格納部分２６に、上記した元状況データに対応するアプリケーション利用データが格納されている場合、端末通信部１６は、上記した識別子及び現在状況データの送信際、元状況データ及び対応の端末アプリケーション利用データもサーバ１３に送信する。
【００５０】
端末取替部２１は、端末通信部１６によってサーバ１３から現在の状況に対応するアプリケーションソフトが受信される場合、端末格納部１８に記憶されているアプリケーションソフトを、受信されたサーバ１３からのアプリケーションソフトに取り替える機能を有している。
【００５１】
本実施例では、端末取替部２１は、アプリケーションソフト格納部分２５に対して、記憶されているアプリケーションソフトの取り替え動作を行うと共に、状況データの取り替え動作を行う。これによって、アプリケーションソフト格納部分２５に記憶されている元位置データが現在状況データ、即ち、現在位置データに取り替えられる。
本実施例において、取り替え動作として、これは、アプリケーションソフト格納部分２５に対して、現在状況データ及びサーバ１３から受信した対応のアプリケーションソフトを用いる上書き動作である。
【００５２】
また、本実施例では、端末取替部２１は、アプリケーション利用データ格納部分２６に対して取り替え動作を行う。
即ち、端末通信部１６によってサーバ１３から現在の状況に対応するアプリケーションソフトを受信すると共に、該アプリケーションソフトに対応するサーバ側アプリケーション利用データも受信した場合、端末取替部２１は、更に、アプリケーション利用データ格納部分２６に対して、状況データ及びアプリケーションソフトの取り替え動作を行う。即ち、端末取替部２１は、現在状況データ及び受信されたサーバ側アプリケーション利用データを用いて、アプリケーション利用データ格納部分２６に対して上書き動作を行う。
尚、現在状況データ及びサーバ側アプリケーション利用データが、取り替え動作によって新たに端末格納部１８に格納されると、元状況データと、端末側アプリケーション利用データとになる。
【００５３】
従って、本実施例では、例えば、元位置データが元状況データとして「会社」であり、現在位置データが現在状況データとして「自宅」である場合、上記した取り替え動作が行われた後、アプリケーションソフト格納部分２５は、図３（ａ）に示された構成から図３（ｂ）に示された構成に変更し、アプリケーション利用データ格納部分２６は、図４（ａ）に示された構成から図４（ｂ）に示された構成に変更することになる。
【００５４】
また、携帯通信端末１１において、ソフト実行部３６は、端末格納部１８のアプリケーションソフト格納部分２５に格納されているアプリケーションソフトを読み出して通信処理を実行する機能を有している。
端末制御部２２は、上記した各機能を実現させるための制御機能を有しており、制御動作を行うための図示しない制御プログラムを持っている。
【００５５】
一方、サーバ１３は、図１に示されているように、サーバ通信部２７、一時記憶部２８、サーバ判断部２９、取出部３０、サーバ格納部３１、サーバ取替部３３及びこれらを制御するサーバ制御部３２を備えている。
【００５６】
サーバ通信部２７は、携帯通信端末１１との送受信を行う機能を有しており、例えば、携帯通信端末１１から識別子や、現在状況データなどを受信し、そして、受信した識別子に基づいて現在状況データに対応するアプリケーションソフトを送信する。
【００５７】
一時記憶部２８は、サーバ通信部２７によって受信したデータや、サーバ１３側における処理中生成したデータなどを一時的に記憶する機能を有している。
取出部３０は、携帯通信端末１１からの現在状況データに基づいてサーバ格納部３１から対応のアプリケーションソフトを取り出す機能を有している。
【００５８】
図５は、本発明に係る実施例１のサーバ格納部の構成を示す説明図である。
サーバ格納部３１には、識別子「ＩＰ１１１１」に対応して、状況データ「会社」及び「自宅」が格納されている。
各状況データに対応して、アプリケーションソフトを格納するためのソフト格納領域３４と、サーバ側アプリケーション利用データを格納するための情報格納領域３５が設けられている。
【００５９】
そして、ソフト格納領域３４及び情報格納領域３５には、状況データ「会社」に対応して、業務用アプリケーションソフトの業務用ソフトデータ及び業務アプリケーション利用データの業務情報データがそれぞれ格納されており、また、状況データ「自宅」に対応して、映画アプリケーションソフトの映画用ソフトデータ及び映画アプリケーション利用データの映画情報データと、ゲームアプリケーションソフトのゲーム用ソフトデータ及びゲームアプリケーション利用データのゲーム情報データとが、それぞれ格納されている。
【００６０】
サーバ判断部２９は、サーバ格納部３１に格納されているアプリケーションソフトに対応するアプリケーション利用データの有無を判断する機能を有している。
有ると判断された場合、取出部３０は、更に、サーバ格納部３１から対応のサーバ側アプリケーション利用データを取り出し、サーバ通信部２７は、取り出されたサーバ側アプリケーション利用データを、上記の取り出されたアプリケーションソフトと共に携帯通信端末１１へ送信する。
【００６１】
サーバ取替部３３は、情報格納領域３５に対して上書き動作を行い、アプリケーション利用データを取り替える機能を有している。
即ち、サーバ通信部２７が、携帯通信端末１１から、現在状況データと共に、元状況データ及び対応の端末側アプリケーション利用データを受信した場合、サーバ取替部３３は、取り替え動作を行う。
【００６２】
〈実施例１の動作〉
次に、本発明に係る通信システム１０の動作を、本発明に係る携帯通信端末１１の動作と共に、フローチャートに沿って説明する。
本実施例において、元の所在位置は元の状況として、会社を示しており、元位置データは、元状況データとして、「会社」であることが前提とされる。即ち、端末格納部１８は、図３（ａ）及び図４（ａ）に示された状況データ、ソフト及び情報などを格納している。
【００６３】
図６は、本発明に係る通信システムの実施例１における動作を示すフローチャートである。
まず、携帯通信端末１１において、端末制御部２２は、全体を制御する制御動作を行い、状況検出部１７に検知動作を定期的に行わせる（ステップ１）。
尚、定期的な周期として、例えば、５分に設定することができる。
【００６４】
そして、状況検出部１７は、ＧＰＳ受信機２３に、受信した電波を利用して経度及び緯度を割り出させ、所在位置記憶部２４に記憶されている所定経度及び所定緯度と比較する（ステップ２）。
割り出された経度及び緯度がいずれかの所定経度及び所定緯度と一致しない場合、ステップ２に戻る（ステップ３）。
【００６５】
割り出された経度及び緯度がいずれかの所定経度及び所定緯度と一致する場合、次のステップ４へ進む（ステップ３）。これら所定経度及び所定緯度に対応する所在位置データを現在位置データとして検出して一時記憶部１９に記憶させると共に、端末制御部２２に通知する（ステップ４）。
所定経度及び所定緯度が「Ｋ１」及び「Ｙ１」である場合、現在位置データは、「会社」となり、所定経度及び所定緯度が「Ｋ２」及び「Ｙ２」である場合、現在位置データは、「自宅」となる。
【００６６】
通知された端末制御部２２は、端末判断部２０に判断動作を行わせる（ステップ５）。
端末判断部２０は、一時記憶部１９に記憶されている現在位置データが端末格納部１８に格納されている元位置データと比較する（ステップ５）。
現在位置データが元位置データと一致する場合、ステップ４に戻り（ステップ６）、そして端末判断部２０は次の新たな現在位置データを待つ。現在位置データが元位置データと異なる場合、次のステップ７に進み（ステップ６）、端末判断部２０は、この不一致状態を端末制御部２２に通知する（ステップ７）。即ち、現在位置データが「自宅」になる場合、端末制御部２２が端末判断部２０に通知される（ステップ７）。
【００６７】
通知された端末制御部２２は、端末格納部１８の図４（ａ）に示されたアプリケーション利用データ格納部分２６から元位置データ「会社」及びこれに対応する端末側業務アプリケーション利用データを読み出し（ステップ７）、また一時記憶部１９から現在位置データ「自宅」を読み出し（ステップ７）、更に識別子記憶部１５から識別子「ＩＰ１１１１」を読み出して（ステップ７）、端末通信部１６に送信動作を行わせる（ステップ７）。
そして、端末通信部１６は、持っているサーバアドレスに基づいて、これら読み出されたデータをサーバに送信する（ステップ７）。
【００６８】
サーバ１３において、サーバ制御部３２は、全体を制御する制御動作を行い、サーバ通信部２７に受信させる（ステップ８）。そして、サーバ通信部２７は、携帯通信端末１１から、元位置データ「会社」、該元位置データに対応する端末側業務アプリケーション利用データ、現在位置データ「自宅」、及び携帯通信端末１１の識別子「ＩＰ１１１１」を受信して、一時記憶部２８に一時的に記憶させる（ステップ８）。
【００６９】
そして、取出部３０は、受信した現在位置データに基づいて、サーバ格納部３１のソフト格納領域３４から、対応の映画アプリケーションソフト及びゲームアプリケーションソフトを取り出して、一時記憶部２８に記憶させる（ステップ９）。
【００７０】
続いて、サーバ判断部２９は、サーバ格納部３１の情報格納領域３５において、現在位置データに対応するアプリケーション利用データの有無を判断する（ステップ１０）。
有ると判断される場合、次のステップ１２に進み（ステップ１１）、そして取出部３０は、更に情報格納領域３５からサーバ側アプリケーション利用データを取り出す（ステップ１２）。
無いと判断される場合、ステップ１４に進む（ステップ１１）。
本実施例において、情報格納領域３５にサーバ側アプリケーション利用データが存在しているので、現在位置データ「自宅」に対応するサーバ側映画アプリケーション利用データ及びサーバ側ゲームアプリケーション利用データが、情報格納領域３５から取り出されて、一時記憶部２８に記憶される（ステップ１２）。
【００７１】
また、サーバ取替部３３は、受信した識別子「ＩＰ１１１１」及び元位置データ「会社」に基づいて、情報格納領域３５に格納されているサーバ側業務アプリケーション利用データを、元位置データ「会社」に対応する携帯通信端末１１からの端末側業務アプリケーション利用データと取り替える（ステップ１３）。即ち、サーバ取替部３３は、携帯通信端末１１からの端末側業務アプリケーション利用データを用いて、元位置データ「会社」に対応する情報格納領域３５における格納部分に対して上書き動作を行う（ステップ１３）。
【００７２】
尚、携帯通信端末１１からの端末側アプリケーション利用データが、サーバ取替部３３によって情報格納領域３５に格納されると、サーバ側アプリケーション利用データになる。
また、携帯通信端末１１から端末側アプリケーション利用データを受信しなかった場合、サーバ取替部３３は、情報格納領域３５におけるサーバ側アプリケーション利用データに対して、削除動作を行う。
【００７３】
続いて、サーバ通信部２７は、受信した識別子「ＩＰ１１１１」に基づいて、携帯通信端末１１への送信を行う（ステップ１４）。
本実施例において、サーバ通信部２７は、取出部３０によって取り出され且つ一時記憶部２８に記憶されている映画アプリケーションソフト及びゲームアプリケーションソフトと、対応のサーバ側映画アプリケーション利用データ及びサーバ側ゲームアプリケーション利用データとに現在位置データ「自宅」を添付して、これらデータを携帯通信端末１１に送信する（ステップ１４）。
【００７４】
そして、携帯通信端末１１において、端末通信部１６は、サーバ１３から、現在位置データ「自宅」と、対応の映画アプリケーションソフト及びゲームアプリケーションソフトと、対応のサーバ側映画アプリケーション利用データ及びサーバ側ゲームアプリケーション利用データとを受信して、一時記憶部１９に記憶させる（ステップ１５）。
【００７５】
続いて、端末取替部２１は、受信した現在位置データ「自宅」と、対応の映画アプリケーションソフト及びゲームアプリケーションソフトとを用いて、端末格納部１８におけるアプリケーションソフト格納部分２５に対して上書きする動作を行う（ステップ１６）。
即ち、端末取替部２１は、アプリケーションソフト格納部分２５に既に格納されている元位置データ「会社」及び対応の業務用アプリケーションソフトを、受信した現在位置データ「自宅」と、対応の映画アプリケーションソフト及びゲームアプリケーションソフトとに取り替える（ステップ１６）。
【００７６】
これによって、アプリケーションソフト格納部分２５は、図３（ａ）に示された格納内容から、図３（ｂ）に示された格納内容に変更される。
これに伴って、アプリケーションソフト格納部分２５に格納される現在位置データ「自宅」が元位置データになる。
【００７７】
また、端末取替部２１は、受信した現在位置データ「自宅」と、対応のサーバ側映画アプリケーション利用データ及びサーバ側ゲームアプリケーション利用データとを用いて、端末格納部１８におけるアプリケーション利用データ格納部分２６に対して上書きする動作を行う（ステップ１７）。
即ち、端末取替部２１は、アプリケーション利用データ格納部分２６に既に格納されている元位置データ「会社」及び対応の端末側業務アプリケーション利用データを、受信した現在位置データ「自宅」と、対応のサーバ側映画アプリケーション利用データ及びサーバ側ゲームアプリケーション利用データとに取り替える（ステップ１７）。
【００７８】
尚、サーバ１３から、サーバ側アプリケーション利用データを受信しなかった場合、端末取替部２１は、アプリケーション利用データ格納部分２６における状況データに対して取り替え動作を行うが、端末側アプリケーション利用データに対して、削除動作を行う。
【００７９】
これによって、アプリケーション利用データ格納部分２６は、図４（ａ）に示された格納内容から、図４（ｂ）に示された格納内容に変更される。
これに伴って、アプリケーション利用データ格納部分２６に格納される現在位置データ「自宅」が元位置データになり、格納されているサーバ側映画アプリケーション利用データ及びサーバ側ゲームアプリケーション利用データが端末側映画アプリケーション利用データ及び端末側ゲームアプリケーション利用データになる。
【００８０】
そして、ソフト実行部３６は、アプリケーションソフト格納部分２５に格納されている新たな映画アプリケーションソフト或いはゲームアプリケーションソフトを読み出して、それぞれの通信処理を実行する（ステップ１８）。
端末制御部２２は、ソフト実行部３６の通信処理に伴って、アプリケーション利用データ格納部分２６に格納されているアプリケーション利用データを端末側アプリケーション利用データとして書き換えて（ステップ１９）、処理を終了する。
【００８１】
尚、本実施例では、携帯通信端末１１とサーバ１３との間でアプリケーション利用データの送受信が行われているが、これに代えて、アプリケーションソフトの送受信のみを行うことができる。
【００８２】
〈実施例１の効果〉
本発明に係る実施例１によれば、携帯通信端末における端末格納部に格納されているアプリケーションソフトが通信に関する状況に応じて取り替えられるので、格納領域の容量を増やさなくても、それぞれのアプリケーションソフトを実行して通信を行うことができる。これによって、従来のような管理装置等を追加する必要がないので、利便性を高めることができる。また、常に現在の状況に応じて必要な通信に対応するアプリケーションソフトのみを端末に格納するので、通信処理の稼働率を高めることもできる。
また、本実施例において、状況の変化に応じてアプリケーションソフトが常に変わっても、対応のアプリケーション利用データが格納され且つ状況の変化に伴って送受信されるので、ある状況の通信処理が途中中断されても、同一状況に戻ると、該通信処理を継続して行うことができる。
【００８３】
尚、本実施例では、プライベート用アプリケーションソフトとして、映画アプリケーションソフト及びゲームアプリケーションソフトを採用したが、音楽アプリケーションソフトなどを採用しても良い。
【００８４】
また、本実施例では、通信に関する状況として、携帯通信端末の所在位置を採用したが、一日中の時間帯を採用することができる。この場合、状況検出部は時刻を計るためのタイマーを有する。
そして、時間帯がユーザの勤務時間帯である場合、業務用アプリケーションソフトを実行し、時間帯がユーザの通勤時間帯である場合、映画アプリケーションソフト、音楽アプリケーションソフト及びゲームアプリケーションソフトのいずれかを、通勤用アプリケーションソフトとして、実行することができる。
【００８５】
また、状況として、携帯通信端末と、ユーザのウェアラブルデバイス（Ｗｅａｒａｂｌｅ  Ｄｅｖｉｃｅ）との距離を採用することができる。この場合、状況検出部はウェアラブルデバイスからの信号を受信する受信部分を有することができる。
【００８６】
そして、距離は携帯通信端末が安全の状態にあることを示す場合、ユーザを認証するための簡単認証用アプリケーションソフトを実行し、距離は携帯通信端末が危険の状態にあることを示す場合、ユーザを認証するための厳密認証用アプリケーションソフト及び携帯通信端末におけるデータを退避するためのデータ退避アプリケーションソフトを実行することができる。
【００８７】
即ち、簡単認証用アプリケーションソフトは、パスワード認証用アプリケーションソフトであり、厳密認証用アプリケーションソフトは、虹彩、指紋、静脈及び顔のいずれかからなる生体情報に基づいて認証を行う生体認証用アプリケーションソフトである。
これによって、セキュリティの強弱を必要に応じて変更することができる。
【００８８】
また、本実施例では、携帯通信端末として携帯電話を採用し、通信回線として携帯電話網を採用したが、携帯通信端末として、ＰＤＡ（Ｐｅｒｓｏｎａｌ  Ｄｉｇｉｔａｌ  Ａｓｓｉｓｔａｎｔ）及びモバイルＰＣ（Ｐｅｒｓｏｎａｌ  Ｃｏｍｐｕｔｅｒ）のいずれかを採用することができる。そして、通信回線として、無線ＬＡＮ及びＩＰ（Ｉｎｔｅｒｎｅｔ  Ｐｒｏｔｏｃｏｌ）網のいずれかを採用することができる。
【００８９】
また、本実施例では、通信システムにおいて、一つの携帯通信端末が備えられているが、携帯通信端末を複数個に設定し、サーバ格納部は、該複数の携帯通信端末の各識別子に対応して、異なる各状況データ及び対応の各アプリケーションソフトを格納する複数の格納部分を備えることができる。
【００９０】
また、本実施例では、識別子として、ＩＰアドレス「ＩＰ１１１１」を採用したが、電話番号、ＳＩＰアドレスなどを採用することができる。
【実施例２】
【００９１】
次に、実施例２について説明する。
尚、実施例１におけると同様な構成について、同一の符号を与え、同様な説明を省略する。
〈実施例２の構成〉
図７は、本発明に係る通信システムの実施例２における構成を示すブロック図である。
本発明に係る通信システム５０は、図７に示されているように、ユーザＡが利用する携帯通信端末１１と、ユーザＢが利用する携帯通信端末５１と、通信回線５２を介して、該携帯通信端末１１及び携帯通信端末５１とそれぞれ通信可能に接続しているサーバ５３とを含む。
該通信システム５０は、例えば携帯端末システムとして利用されている。即ち、携帯通信端末５１は、携帯電話或いはモバイルＰＣからなり、通信回線５２は、携帯端末通信網からなる。
【００９２】
ユーザＡの携帯通信端末１１は、第一携帯通信端末として、上記したように、「ＩＰ１１１１」の識別子を有する。
ユーザＢの携帯通信端末５１は、第二携帯通信端末として、図７に示されているように、入力表示部５４、識別子記憶部５５、端末通信部５６、状況検出部５７、端末格納部５８、一時記憶部５９、端末判断部６０、端末取替部６１、ソフト実行部６２及びこれらを制御する端末制御部６３を備えている。
【００９３】
入力表示部５４は、ユーザを操作させたり、通信に関する画面などを表示したりする機能を有している。
識別子記憶部５５は、携帯通信端末５１の識別子を記憶する機能を有している。本実施例では、識別子は、「ＩＰ２２２２」とする。
【００９４】
状況検出部５７は、通信に関する状況を検出する機能を有している。本実施例では、状況として、一日中ユーザＢの所定時間帯に対応するスケジュール状態を示す。
この状況検出部５７は、タイマー６４及び時間帯記憶部６５を有している。
タイマー６４は、時間を計るための時間計測器であり、時間帯記憶部６５は、所定の時間帯に対応してユーザＢの所定スケジュール状態を予め記憶する機能を有している。
【００９５】
図８は、本発明に係る実施例２における時間帯記憶部の構成を示す説明図である。
時間帯記憶部６５には、図８に示されているように、所定時間帯「７：００〜８：４５」、「９：００〜１２：００」などに対応して、スケジュール状態が「通勤中」、「勤務中」などとなっている。
【００９６】
また、携帯通信端末５１において、端末格納部５８は、アプリケーションソフト格納部分６６及びアプリケーション利用データ格納部分６７を有している。
図９は、本発明に係る実施例２の第二携帯通信端末におけるアプリケーションソフト格納部分の構成を示す説明図である。
【００９７】
図９（ａ）は、スケジュール状態が「勤務中」となる場合のアプリケーションソフト格納部分の構成を示す。
アプリケーションソフト格納部分６６には、図９（ａ）に示されているように、スケジュール状態「勤務中」に対応して、業務用アプリケーションソフトが格納されている。
この業務用アプリケーションソフトは、ユーザＢの勤務中、ユーザＢに業務資料の参考や、業務データの遣り取りを行わせるための業務通信を可能に実行するアプリケーションソフトである。
【００９８】
図９（ｂ）は、スケジュール状態が「通勤中」となる場合のアプリケーションソフト格納部分の構成を示す。
アプリケーションソフト格納部分６６には、図９（ｂ）に示されているように、スケジュール状態「通勤中」に対応して、映画アプリケーションソフト及びゲーム用アプリケーションソフトが、通勤用アプリケーションソフトとして、共に格納されている。
【００９９】
図１０は、本発明に係る実施例２の第二携帯通信端末におけるアプリケーション利用データ格納部分の構成を示す説明図である。
図１０（ａ）は、所在位置が「会社」となる場合のアプリケーション利用データ格納部分の構成を示す。
アプリケーション利用データ格納部分６７には、図１０（ａ）に示されているように、スケジュール状態「勤務中」に対応して、端末側業務アプリケーション利用データが格納されている。
この端末側業務アプリケーション利用データは、上記の業務用アプリケーションソフトに対応しており、業務通信中生成した業務情報などであり、ユーザＢに対して必要で格納すべき業務情報データである。
【０１００】
図１０（ｂ）は、スケジュール状態が「通勤中」となる場合のアプリケーション利用データ格納部分の構成を示す。
アプリケーション利用データ格納部分６７には、図１０（ｂ）に示されているように、スケジュール状態「通勤中」に対応して、端末側映画アプリケーション利用データ及び端末側ゲームアプリケーション利用データがそれぞれ格納されている。
【０１０１】
本実施例において、スケジュール状態「勤務中」或いは「通勤中」は、端末格納部５８に格納されている場合、元状況データ、即ち、元位置データとする。
【０１０２】
また、携帯通信端末５１において、一時記憶部５９は、例えば、サーバから受信したデータや、携帯通信端末５１側において処理中生成したデータなどを一時的に記憶する機能を有している。
端末判断部６０は、状況検出部５７が検出した現在の状況、即ち、現在のスケジュール状態が端末格納部５８に記憶されている状況に一致するか否か、即ち、現在のスケジュール状態が端末格納部５８に記憶されているアプリケーションソフトに一致するか否かを判断する機能を有している。
【０１０３】
端末通信部５６は、サーバ５３との送受信を行う機能を有しており、サーバ５３に接続するためのサーバアドレスを持っている。
前記端末判断部６０によって現在の状況が端末格納部５８に記憶されている状況に一致していない場合、端末通信部５６は、識別子記憶部５５に記憶されている携帯通信端末５１の識別子と、状況検出部５７によって検出された現在の状況を示す現在状況データとをサーバ５３に送信し、また、サーバ５３からこの現在状況データに対応するアプリケーションソフトを受信する機能を有している。
【０１０４】
本実施例では、アプリケーション利用データ格納部分６７に、上記した元状況データに対応するアプリケーション利用データが格納されている場合、端末通信部５６は、上記した識別子及び現在状況データの送信際、元状況データ及び対応の端末アプリケーション利用データもサーバ５３に送信する。
【０１０５】
端末取替部６１は、端末通信部５６によってサーバ５３から現在の状況に対応するアプリケーションソフトが受信される場合、端末格納部５８に記憶されているアプリケーションソフトを、受信されたサーバ５３からのアプリケーションソフトに取り替える機能を有している。
【０１０６】
本実施例では、端末取替部６１は、アプリケーションソフト格納部分６６に対して、記憶されているアプリケーションソフトの取り替え動作を行うと共に、状況データの取り替え動作を行う。これによって、アプリケーションソフト格納部分６６に記憶されている元状況データ（即ち、元スケジュール状態データ）が現在状況データ（即ち、現在スケジュール状態データ）に取り替えられる。
本実施例において、取り替え動作として、これは、アプリケーションソフト格納部分６６に対して、現在状況データ及びサーバ５３から受信した対応のアプリケーションソフトを用いる上書き動作である。
【０１０７】
また、本実施例では、端末取替部６１は、アプリケーション利用データ格納部分６７に対して取り替え動作を行う。
即ち、端末通信部５６によってサーバ５３から現在の状況に対応するアプリケーションソフトを受信すると共に、該アプリケーションソフトに対応するサーバ側アプリケーション利用データも受信した場合、端末取替部６１は、更に、アプリケーション利用データ格納部分６７に対して、状況データ及びアプリケーションソフトの取り替え動作を行う。即ち、端末取替部６１は、現在状況データ及び受信されたサーバ側アプリケーション利用データを用いて、アプリケーション利用データ格納部分６７に対して上書き動作を行う。
尚、現在状況データ及びサーバ側アプリケーション利用データが、取り替え動作によって新たに端末格納部５８に格納されると、元状況データと、端末側アプリケーション利用データとになる。
【０１０８】
従って、本実施例では、例えば、元スケジュール状態データが元状況データとして「勤務中」であり、現在スケジュール状態データが現在状況データとして「通勤中」である場合、上記した取り替え動作が行われた後、アプリケーションソフト格納部分６６は、図９（ａ）に示された構成から図９（ｂ）に示された構成に変更し、アプリケーション利用データ格納部分６７は、図１０（ａ）に示された構成から図１０（ｂ）に示された構成に変更することになる。
【０１０９】
また、携帯通信端末５１において、ソフト実行部６２は、端末格納部５８のアプリケーションソフト格納部分６６に格納されているアプリケーションソフトを読み出して通信処理を実行する機能を有している。
端末制御部６３は、上記した各機能を実現させるための制御機能を有しており、制御動作を行うための図示しない制御プログラムを持っている。
【０１１０】
一方、サーバ５３は、図７に示されているように、サーバ通信部２７、一時記憶部２８、サーバ判断部２９、取出部３０、サーバ格納部６８、サーバ取替部３３及びこれらを制御するサーバ制御部６９を備えている。
【０１１１】
サーバ通信部２７は、携帯通信端末５１との送受信を行う機能を有しており、例えば、携帯通信端末１１或いは携帯通信端末５１から識別子や、現在状況データなどを受信し、そして、受信した識別子に基づいて現在状況データに対応するアプリケーションソフトを送信する。
【０１１２】
一時記憶部２８は、サーバ通信部２７によって受信したデータや、サーバ５３側における処理中生成したデータなどを一時的に記憶する機能を有している。
取出部３０は、携帯通信端末１１或いは携帯通信端末５１からの現在状況データに基づいてサーバ格納部６８から対応のアプリケーションソフトを取り出す機能を有している。
【０１１３】
図１１は、本発明に係る実施例２のサーバ格納部の構成を示す説明図である。
サーバ格納部６８には、各状況データに対応して、アプリケーションソフトを格納するためのソフト格納領域７０と、サーバ側アプリケーション利用データを格納するための情報格納領域７１が設けられている。
識別子「ＩＰ１１１１」に対応して、状況データ「会社」及び「自宅」が格納されている。
識別子「ＩＰ２２２２」に対応して、状況データ「勤務中」及び「通勤中」が格納されている。
【０１１４】
そして、ソフト格納領域７０及び情報格納領域７１には、識別子「ＩＰ２２２２」に対応して、状況データ「勤務中」に応じる業務用アプリケーションソフト及び業務アプリケーション利用データがそれぞれ格納されており、また、状況データ「通勤中」に対応して、映画アプリケーションソフト及び映画アプリケーション利用データと、ゲームアプリケーションソフト及びゲームアプリケーション利用データとが、それぞれ格納されている。
【０１１５】
サーバ判断部２９は、サーバ格納部６８に格納されているアプリケーションソフトに対応するアプリケーション利用データの有無を判断する機能を有している。
有ると判断された場合、取出部３０は、更に、サーバ格納部６８から対応のサーバ側アプリケーション利用データを取り出し、サーバ通信部２７は、取り出されたサーバ側アプリケーション利用データを、上記の取り出されたアプリケーションソフトと共に携帯通信端末１１或いは携帯通信端末５１へ送信する。
【０１１６】
サーバ取替部３３は、情報格納領域７１に対して上書き動作を行い、アプリケーション利用データを取り替える機能を有している。
即ち、サーバ通信部２７が、携帯通信端末１１或いは携帯通信端末５１から、現在状況データと共に、元状況データ及び対応の端末側アプリケーション利用データを受信した場合、サーバ取替部３３は、取り替え動作を行う。
【０１１７】
〈実施例２の動作〉
次に、本発明に係る通信システム５０の動作を、本発明に係る携帯通信端末５１の動作と共に、フローチャートに沿って説明する。
本実施例において、複数の携帯通信端末が設けられているが、携帯通信端末１１が上記した実施例１と同様な動作を行うので、ここで携帯通信端末１１の動作を省略して、携帯通信端末５１の動作のみを説明する。
【０１１８】
そして、元スケジュール状態データは、元状況データとして、「勤務中」であることが前提とされる。即ち、端末格納部５８は、図９（ａ）及び図１０（ａ）に示された状況データ、ソフト及び情報などを格納している。
【０１１９】
図１２は、本発明に係る通信システムの実施例２における動作を示すフローチャートである。
まず、携帯通信端末５１において、端末制御部６３は、全体を制御する制御動作を行い、状況検出部５７に検知動作を定期的に行わせる（ステップ１）。
尚、定期的な周期として、例えば、５分に設定することができる。
【０１２０】
そして、状況検出部５７は、タイマー６４から現在時間を読み取って、時間帯記憶部６５に記憶されているどの所定時間帯にあるかを検出する（ステップ２）。
検出されない場合、ステップ２に戻る（ステップ３）。
また、この現在時間がいずれかの所定時間帯にあると検出された場合、次のステップ４に進み（ステップ３）、そして状況検出部５７は、これら所定時間帯に対応するスケジュール状態データを現在スケジュール状態データとして一時記憶部５９に記憶させると共に、端末制御部６３に通知する（ステップ４）。
所定時間帯が「１３：００〜１７：００」である場合、現在スケジュール状態データは、「勤務中」となり、所定時間帯が「１７：３０〜１９：００」である場合、現在スケジュール状態データは、「通勤中」となる。
【０１２１】
通知された端末制御部６３は、端末判断部６０に判断動作を行わせる。
端末判断部６０は、一時記憶部５９に記憶されている現在スケジュール状態データが端末格納部５８に格納されている元スケジュール状態データと比較する（ステップ５）。
現在スケジュール状態データが元スケジュール状態データと一致する場合、ステップ４に戻り（ステップ６）、端末判断部６０は次の新たな現在スケジュール状態データを待つ。現在スケジュール状態データが元スケジュール状態データと異なる場合、次のステップ７に進み（ステップ６）、そして端末判断部６０は、端末制御部６３に通知する。即ち、現在スケジュール状態データが「通勤中」になる場合、元スケジュール状態データ「勤務中」と異なるので、端末制御部６３が、端末判断部６０に、この異なる状態について通知される。
【０１２２】
通知された端末制御部６３は、端末格納部５８の図１０（ａ）に示されたアプリケーション利用データ格納部分６７から元スケジュール状態データ「勤務中」及びこれに対応する端末側業務アプリケーション利用データを読み出し（ステップ７）、また一時記憶部５９から現在スケジュール状態データ「通勤中」を読み出し（ステップ７）、更に識別子記憶部５５から識別子「ＩＰ２２２２」を読み出して（ステップ７）、端末通信部５６に送信動作を行わせる。
そして、端末通信部５６は、持っているサーバアドレスに基づいて、これら読み出されたデータをサーバに送信する（ステップ７）。
【０１２３】
サーバ５３において、サーバ制御部６９は、全体を制御する制御動作を行い、サーバ通信部２７に受信させる（ステップ８）。そして、サーバ通信部２７は、携帯通信端末５１から、元スケジュール状態データ「勤務中」、該元スケジュール状態データに対応する端末側業務アプリケーション利用データ、現在スケジュール状態データ「通勤中」、及び携帯通信端末５１の識別子「ＩＰ２２２２」を受信して、一時記憶部２８に一時的に記憶させる（ステップ８）。
【０１２４】
そして、取出部３０は、受信した現在スケジュール状態データに基づいて、サーバ格納部６８のソフト格納領域７０から、対応の映画アプリケーションソフト及びゲームアプリケーションソフトを取り出して、一時記憶部２８に記憶させる（ステップ９）。
【０１２５】
続いて、サーバ判断部２９は、サーバ格納部６８の情報格納領域７１において、現在スケジュール状態データに対応するアプリケーション利用データの有無を判断する（ステップ１０）。
有ると判断される場合、次のステップ１２に進み（ステップ１１）、そして取出部３０は、更に情報格納領域７１からサーバ側アプリケーション利用データを取り出す（ステップ１２）。
無いと判断される場合、ステップ１４に進む（ステップ１１）。
本実施例において、情報格納領域７１にサーバ側アプリケーション利用データが存在しているので、現在スケジュール状態データ「通勤中」に対応するサーバ側映画アプリケーション利用データ及びサーバ側ゲームアプリケーション利用データが、情報格納領域７１から取り出されて、一時記憶部２８に記憶される（ステップ１２）。
【０１２６】
また、サーバ取替部３３は、受信した識別子「ＩＰ２２２２」及び元スケジュール状態データ「勤務中」に基づいて、情報格納領域７１に格納されているサーバ側業務アプリケーション利用データを、元スケジュール状態データ「勤務中」に対応する携帯通信端末５１からの端末側業務アプリケーション利用データと取り替える（ステップ１３）。即ち、サーバ取替部３３は、携帯通信端末５１からの端末側業務アプリケーション利用データを用いて、元スケジュール状態データ「勤務中」に対応する情報格納領域７１における格納部分に対して上書き動作を行う（ステップ１３）。
【０１２７】
尚、携帯通信端末５１からの端末側アプリケーション利用データが、サーバ取替部３３によって情報格納領域７１に格納されると、サーバ側アプリケーション利用データになる。
また、携帯通信端末５１から端末側アプリケーション利用データを受信しなかった場合、サーバ取替部３３は、情報格納領域７１におけるサーバ側アプリケーション利用データに対して、削除動作を行う。
【０１２８】
続いて、サーバ通信部２７は、受信した識別子「ＩＰ２２２２」に基づいて、携帯通信端末５１への送信を行う（ステップ１４）。
本実施例において、サーバ通信部２７は、取出部３０によって取り出され且つ一時記憶部２８に記憶されている映画アプリケーションソフト及びゲームアプリケーションソフトと、対応のサーバ側映画アプリケーション利用データ及びサーバ側ゲームアプリケーション利用データとに現在スケジュール状態データ「通勤中」を添付して、これらデータを携帯通信端末５１に送信する（ステップ１４）。
【０１２９】
そして、携帯通信端末５１において、端末通信部５６は、サーバ５３から、現在スケジュール状態データ「通勤中」と、対応の映画アプリケーションソフト及びゲームアプリケーションソフトと、対応のサーバ側映画アプリケーション利用データ及びサーバ側ゲームアプリケーション利用データとを受信して、一時記憶部５９に記憶させる（ステップ１５）。
【０１３０】
続いて、端末取替部６１は、受信した現在スケジュール状態データ「通勤中」と、対応の映画アプリケーションソフト及びゲームアプリケーションソフトとを用いて、端末格納部５８におけるアプリケーションソフト格納部分６６に対して上書きする動作を行う（ステップ１６）。
即ち、端末取替部６１は、アプリケーションソフト格納部分６６に既に格納されている元スケジュール状態データ「勤務中」及び対応の業務用アプリケーションソフトを、受信した現在スケジュール状態データ「通勤中」と、対応の映画アプリケーションソフト及びゲームアプリケーションソフトとに取り替える（ステップ１６）。
【０１３１】
これによって、アプリケーションソフト格納部分６６は、図９（ａ）に示された格納内容から、図９（ｂ）に示された格納内容に変更される。
これに伴って、アプリケーションソフト格納部分６６に格納される現在スケジュール状態データ「通勤中」が元スケジュール状態データになる。
【０１３２】
また、端末取替部６１は、受信した現在スケジュール状態データ「通勤中」と、対応のサーバ側映画アプリケーション利用データ及びサーバ側ゲームアプリケーション利用データとを用いて、端末格納部５８におけるアプリケーション利用データ格納部分６７に対して上書きする動作を行う（ステップ１７）。
即ち、端末取替部６１は、アプリケーション利用データ格納部分６７に既に格納されている元スケジュール状態データ「勤務中」及び対応の端末側業務アプリケーション利用データを、受信した現在スケジュール状態データ「通勤中」と、対応のサーバ側映画アプリケーション利用データ及びサーバ側ゲームアプリケーション利用データとに取り替える（ステップ１７）。
【０１３３】
尚、サーバ５３から、サーバ側アプリケーション利用データを受信しなかった場合、端末取替部６１は、アプリケーション利用データ格納部分６７における状況データに対して取り替え動作を行うが、端末側アプリケーション利用データに対して、削除動作を行う。
【０１３４】
これによって、アプリケーション利用データ格納部分６７は、図１０（ａ）に示された格納内容から、図１０（ｂ）に示された格納内容に変更される。
これに伴って、アプリケーション利用データ格納部分６７に格納される現在スケジュール状態データ「通勤中」が元スケジュール状態データになり、格納されているサーバ側映画アプリケーション利用データ及びサーバ側ゲームアプリケーション利用データが端末側映画アプリケーション利用データ及び端末側ゲームアプリケーション利用データになる。
【０１３５】
そして、ソフト実行部６２は、アプリケーションソフト格納部分６６に格納されている新たな映画アプリケーションソフト或いはゲームアプリケーションソフトを読み出して、それぞれの通信処理を実行する（ステップ１８）。
端末制御部６３は、ソフト実行部６２の通信処理に伴って、アプリケーション利用データ格納部分６７に格納されているアプリケーション利用データを書き換えて（ステップ１９）、処理を終了する。
【０１３６】
尚、本実施例では、携帯通信端末５１とサーバ５３との間でアプリケーション利用データの送受信が行われているが、これに代えて、アプリケーションソフトの送受信のみを行うことができる。
【０１３７】
〈実施例２の効果〉
本発明に係る実施例１によれば、格納領域の容量を増やさなくても、それぞれのアプリケーションソフトを実行して通信を行うことができ、利便性及び通信処理の稼働率を高める携帯通信端末を提供することができる。
また、対応のアプリケーション利用データが格納され且つ状況の変化に伴って送受信されるので、同一状況の通信処理を何回に中断しても、継続して行うことができる。
更に、複数の端末に対して、各種の状況を採用し、そして、これら各種の状況に応じて各種のアプリケーションソフトを実行するので、活用性を向上することができる。
【０１３８】
尚、本実施例では、通勤用アプリケーションソフトとして、映画アプリケーションソフト及びゲームアプリケーションソフトを採用したが、音楽アプリケーションソフトなどを採用しても良い。
【０１３９】
また、本実施例では、時間帯として、「勤務中」或いは「通勤中」の例を挙げたが、他の時間帯、例えば、「昼食中」などを採用することができる。
更に、アプリケーションソフトとして、ユーザの必要性に応じて、各状況に応じて、さまざまなソフトを利用することができる。
【図面の簡単な説明】
【０１４０】
【図１】本発明に係る通信システムの実施例１における構成を示すブロック図である。
【図２】本発明に係る実施例１の所在位置記憶部の構成を示す説明図である。
【図３】本発明に係る実施例１のアプリケーションソフト格納部分の構成を示す説明図である。
【図４】本発明に係る実施例１のアプリケーション利用データ格納部分の構成を示す説明図である。
【図５】本発明に係る実施例１のサーバ格納部の構成を示す説明図である。
【図６】本発明に係る通信システムの実施例１における動作を示すフローチャートである。
【図７】本発明に係る通信システムの実施例２における構成を示すブロック図である。
【図８】本発明に係る実施例２の時間帯記憶部の構成を示す説明図である。
【図９】本発明に係る実施例２の第二携帯通信端末におけるアプリケーションソフト格納部分の構成を示す説明図である。
【図１０】本発明に係る実施例２の第二携帯通信端末におけるアプリケーション利用データ格納部分の構成を示す説明図である。
【図１１】本発明に係る実施例２のサーバ格納部の構成を示す説明図である。
【図１２】本発明に係る通信システムの実施例２における動作を示すフローチャートである。
【符号の説明】
【０１４１】
１０、５０  通信システム
１１、５１  携帯通信端末
１３、５３  サーバ
１７、５７  状況検出部
１８、５８  端末格納部
２０、６０  端末判断部
２１、６１  端末取替部
３０  取出部
３１、６８  サーバ格納部
【図１】
2008228068.tif 000003
【図２】
2008228068.tif 000004
【図３】
2008228068.tif 000005
【図４】
2008228068.tif 000006
【図５】
2008228068.tif 000007
【図６】
2008228068.tif 000008
【図７】
2008228068.tif 000009
【図８】
2008228068.tif 000010
【図９】
2008228068.tif 000011
【図１０】
2008228068.tif 000012
【図１１】
2008228068.tif 000013
【図１２】
2008228068.tif 000014